(57)【特許請求の範囲】
【請求項１】
前端に吹出口（１２）を有するハウジング（１１）に、前記吹出口（１２）に並列配置される複数のフィン（２９，３０，３１）が相互に平行な軸線まわりの回動を可能として支承され、それらのフィン（２９〜３１）の後端部が、各フィン（２９〜３１）の配列方向（２８）に沿って延びる共通のリンク（３２）に回動可能に連結され、前記各フィン（２９〜３１）のうち前記配列方向（２８）に沿う両端に配置される一対の外側フィン（３１）には、前記吹出口（１２）の両側端を規定するようにして前記ハウジング（１１）が備える一対の側壁（１８，１９）に向けて突出する遮蔽板（３７）がそれぞれ一体に設けられる空調用吹出口装置において、前記両外側フィン（３１）のハウジング（１１）への支持点および前記リンク（３２）への連結点間の距離が、前記両外側フィン（３１）を除く他のフィン（２９，３０）のハウジング（１１）への支持点および前記リンク（３２）への連結点間の距離よりも大きく設定されることを特徴とする空調用吹出口装置。
【請求項２】
前記外側フィン（３１）は、吹出口（１２）から直進方向に空気を導く姿勢にある状態では外側フィン（３１）を除く他のフィン（２９，３０）と平行に延びて前記リンク（３２）に連結されるフィン後部（３１ａ）と、外側フィン（３１）に隣接するフィン（３０）側に傾斜して前記フィン後部（３１ａ）の前端に角度をなして連なるフィン前部（３１ｂ）とから成ることを特徴とする請求項１記載の空調用吹出口装置。
【請求項３】
前記外側フィン（３１）が、前記配列方向（２８）に沿う方向および前記ハウジング（１１）の前後方向に制限された範囲で移動することを可能として前記リンク（３２）に連結されることを特徴とする請求項１または２記載の空調用吹出口装置。
【発明の詳細な説明】
【０００１】
【発明の属する技術分野】
本発明は、自動車等に好適に用いられる空調用吹出口装置に関し、特に、前端部に吹出口を有するハウジングに、前記吹出口に並列配置される複数のフィンが相互に平行な軸線まわりの回動を可能として支承され、それらのフィンの後端部が、各フィンの配列方向に沿って延びる共通のリンクに回動可能に連結され、前記各フィンのうち前記配列方向に沿う両端に配置される一対の外側フィンには、前記吹出口の両側端を規定するようにして前記ハウジングが備える一対の側壁に向けて突出する遮蔽板がそれぞれ一体に設けられる空調用吹出口装置の改良に関する。
【０００２】
【従来の技術】
このような空調用吹出口装置は、たとえば実開昭６０−４５１１５号公報等により既に知られている。このものでは、吹出口からの空気の吹出し方向を直進方向から左、右いずれかに向けるべく各フィンを一斉に回動せしめたときに、ハウジングの側壁および外側フィン間を直進する空気流の影響で吹出方向の指向性が低下するのを防止するために、ハウジングの側壁および外側フィン間での空気の流通を抑制するための遮蔽板が、側壁側に突出するようにして外側フィンに一体に設けられている。
【０００３】
【発明が解決しようとする課題】
ところが上記従来のものでは、外側フィンと、その外側フィンに隣接する他のフィンとの間を流通する空気がハウジングの側壁にあたって該側壁に沿って流れるように曲げられることにより、吹出方向の指向性が乱されることがある。すなわち吹出し方向を右側に定めるべく各フィンを回動させたときには、右端の外側フィンおよび右端から２番目のフィン間を流通する空気が右側壁に沿って流通するように流れの向きが変えられるので、右側に向いた空気の流通と干渉してしまい、また吹出し方向を左側に定めるべく各フィンを回動させたときには、左端の外側フィンおよび左端から２番目のフィン間を流通する空気が左側壁に沿って流通するように流れの向きが変えられるので、左側に向いた空気の流通と干渉してしまうので、吹出方向の指向性が乱される。
【０００４】
本発明は、かかる事情に鑑みてなされたものであり、空気の吹出方向の指向性が低下するのを防止し得るようにした空調用吹出口装置を提供することを目的とする。
【０００５】
【課題を解決するための手段】
上記目的を達成するために、請求項１記載の発明は、前端部に吹出口を有するハウジングに、前記吹出口に並列配置される複数のフィンが相互に平行な軸線まわりの回動を可能として支承され、それらのフィンの後端部が、各フィンの配列方向に沿って延びる共通のリンクに回動可能に連結され、前記各フィンのうち前記配列方向に沿う両端に配置される一対の外側フィンには、前記吹出口の両側端を規定するようにして前記ハウジングが備える一対の側壁に向けて突出する遮蔽板がそれぞれ一体に設けられる空調用吹出口装置において、前記両外側フィンのハウジングへの支持点および前記リンクへの連結点間の距離が、前記両外側フィンを除く他のフィンのハウジングへの支持点および前記リンクへの連結点間の距離よりも大きく設定されることを特徴とする。
【０００６】
このような構成によれば、各フィンを一斉に回動したときに、外側フィンのハウジングへの支持点とリンクへの連結部との間の距離が、他のフィンの当該距離に比べて大きいので、外側フィンの回動角が他のフィンの回動角よりも小さく抑えられ、各フィンの回動側で最も外側にある外側フィンと、当該外側フィンに隣接する他のフィンとの間が狭められることになり、側壁にあたる空気量が小さく抑えられることになる。また外側フィンにはハウジングの側壁に向って突出する遮蔽板が一体に設けられているので、側壁に沿って直進方向に流通する空気量が効果的に抑えられることになり、空気の吹出方向の指向性が低下するのを効果的に防止することができる。
【０００７】
また請求項２記載の発明は、上記請求項１記載の発明の構成に加えて、前記外側フィンは、吹出口から直進方向に空気を導く姿勢にある状態では外側フィンを除く他のフィンと平行に延びて前記リンクに連結されるフィン後部と、外側フィンに隣接するフィン側に傾斜して前記フィン後部の前端に角度をなして連なるフィン前部とから成ることを特徴とし、かかる構成によれば、各フィンの回動側で最も外側にある外側フィンと、当該外側フィンに隣接するフィンとの間がより一層狭められることになり、側壁にあたる空気量をより効果的に小さく抑えることが可能となる。
【０００８】
さらに請求項３記載の発明は、上記請求項１または２記載の発明の構成に加えて、前記外側フィンが、前記配列方向に沿う方向および前記ハウジングの前後方向に制限された範囲で移動することを可能として前記リンクに連結されることを特徴とし、かかる構成によれば、外側フィンと他のフィンとで支持点および連結点間の距離が異なることに起因して回動半径が異なっても、リンクに無理な荷重が作用することを回避し、各フィンの配列方向に沿う方向へのリンクのスムーズな移動が可能となる。
【０００９】
【発明の実施の形態】
以下、本発明の実施の形態を、添付の図面に示した本発明の実施例に基づいて説明する。
【００１０】
図１〜図５は本発明の第１実施例を示すものであり、図１は空調用吹出口装置の分解斜視図、図２は空調用吹出口装置の横断面図であって図３の２−２線に沿う断面図、図３は図２の３−３線に沿う縦断面図、図４は図３の４−４線に沿う横断面図、図５は吹出方向を図２の状態から変更した状態での図２に対応した横断面図である。
【００１１】
先ず図１〜図３において、この空調用吹出口装置は、乗用車両のインストルメントパネル１５のたとえば運転席側に取付けられる合成樹脂製のハウジング１１を備え、該ハウジング１１は、前端を吹出口１２として開放するとともに後端も開放して前後に延びる筒状に形成されるハウジング主部１１ａと、該ハウジング主部１１ａよりも短い矩形の筒状に形成されてハウジング主部１１ａの前端上部に一体に連設される筒部１１ｂとで構成される。
【００１２】
ハウジング１１は、ハウジング主部１１ａの後端部を空調装置の送風ダクト１３に嵌合、接続するとともに曇り止め用空気を導くダクト１４に筒部１１ｂの後端を嵌合、接続するようにしてインストルメントパネル１５に取付けられ、ハウジング主部１１ａの後端部外周には送風ダクト１３の内面に弾発的に接触する無端状のシール部材１６が装着される。また筒部１１ｂ内の前部には、ダクト１４からの曇り止め用空気を運転席の側方のドアガラス側に向けて導くための格子状の導風板部１７が一体に設けられる。
【００１３】
前記吹出口１２の両側端を規定するようにしてハウジング主部１１ａがその前端部に備える一対の側壁１８，１９には、上下方向に並んで吹出口１２に配置される複数たとえば５枚のフィン２０，２０…が回動可能に支承される。すなわち各フィン２０，２０…は、その左右両端に軸部２１，２１…を一体に有しており、左、右いずれか一方の軸部２１，２１…が前記両側壁１８，１９の一方１８に設けられた支持孔２２，２２…に装着されるブッシュ２４…で回動可能に支承され、左、右いずれか他方の軸部２１，２１…が他方の側壁１９に設けられた軸孔２３，２３…に回動可能に嵌合される。
【００１４】
前記軸部２１，２１…よりも後方側で側壁１９および各フィン２０，２０…間には、上下に延びるリンク２５が配置されており、各軸部２１，２１…よりも後方側で各フィン２０，２０…に突設されて軸部２１，２１…と平行な軸線を有する連結軸部２６，２６…が前記リンク２５に共通にかつ回動可能に連結される。したがって各フィン２０，２０…の１つを回動操作することで、全てのフィン２０，２０…が連動して一斉に回動することになる。
【００１５】
図４を併せて参照して、前記各フィン２０，２０…よりも後方側の吹出口１２には、横方向に設定される配列方向２８に沿う中央部に配置される中央フィン２９と、その中央フィン２９の両側の一対の中間フィン３０，３０と、それらの中間フィン３０，３０を前記中央フィン２９との間に挟むようにして配列方向２８に沿う両端に配置される一対の外側フィン３１，３１とが、配列方向２８に沿って並列配置される。
【００１６】
中央フィン２９、中間フィン３０，３０および外側フィン３１，３１は、それぞれ上下に延びるように形成されるものであり、各フィン２９，３０…，３１…の上、下両端部がハウジング主部１１ａの上、下壁でそれぞれ回動可能に支承される。しかも各フィン２９，３０…，３１…の後端およびハウジング主部１１ａの上壁間には配列方向２８と平行に延びるリンク３２が配置され、各フィン２９，３０…，３１…の後端部がリンク３２に共通にかつ回動可能に連結される。
【００１７】
中央フィン２９および中間フィン３０，３０は、相互に平行にして前後にほぼ一直線状に延びる横断面形状を有するように形成される。また外側フィン３１，３１は、吹出口１２から直進方向に空気を導く姿勢にある状態では前記中央フィン２９および中間フィン３０，３０と平行に延びるフィン後部３１ａ，３１ａと、外側フィン３１，３１に隣接する中間フィン３０，３０側に傾斜してフィン後部３１ａ，３１ａの前端に角度をなして連なるフィン前部３１ｂ，３１ｂとから成る横断面形状を有するように形成される。
【００１８】
中央フィン２９および中間フィン３０，３０の後端上部と、外側フィン３１，３１におけるフィン後部３１ａ，３１ａの後端上部とには、上方に突出した連結軸部３３，３３…がそれぞれ一体に突設され、各連結軸部３３，３３…がリンク３２に共通にかつ回動可能に連結される。
【００１９】
しかも外側フィン３１，３１の後端上部の連結軸部３３，３３は、リンク３１の両端部に設けられた長孔４２，４２にそれぞれ挿通される。これにより外側フィン３１，３１は、各フィン２９，３０，３０，３１，３１の配列方向２８に沿う方向およびハウジング１１の前後方向すなわち左右および前後方向に制限された範囲で移動することを可能としてリンク３２に連結されることになる。
【００２０】
前記連結軸部３３，３３…から前方側に距離Ｌ１をあけた位置で中央フィン２９および中間フィン３０，３０の上下両端には、軸部３４，３５，３５…がそれぞれ一体に突設されており、それらの軸部３４，３５，３５…がハウジング主部１１ａの上、下壁にそれぞれ回動可能に嵌合される。また前記連結軸部３３，３３…から前方側に距離Ｌ２をあけた位置（この実施例ではフィン後部３１ａおよびフィン前部３１ｂの連設部）で外側フィン３１，３１の上下両端には、軸部３６，３６…がそれぞれ一体に突設されており、それらの軸部３６，３６…がハウジング主部１１ａの上、下壁にそれぞれ回動可能に嵌合される。
【００２１】
而して前記距離Ｌ１，Ｌ２は、Ｌ１＜Ｌ２となるように設定されるものであり、外側フィン３１，３１のハウジング１１への支持点およびリンク３２への連結点間の距離Ｌ２が、中央フィン２９および中間フィン３０，３０のハウジング１１への支持点およびリンク３２への連結点間の距離Ｌ１よりも大きく設定されることになる。
【００２２】
また外側フィン３１，３１には、吹出口１２の両側端を規定するようにしてハウジング１１が備える一対の側壁１８，１９に向けて突出する遮蔽板３７，３７がそれぞれ一体に設けられ、それらの遮蔽板３７，３７により、側壁１８，１９および外側フィン３１，３１間での空気の流通が抑制される。
【００２３】
ところで上下に並ぶ複数のフィン２１，２１…の１つ、この実施例では上下方向中央部のフィン２１には、横方向にスライドすることを可能として操作ノブ３８が装着される。一方、中央フィン２９には、操作ノブ３８がその後部に備える二股の係合部３８ａを係合させる係止軸３９と、係止軸３９の軸線まわりに係合部３８ａが回動することを許容するための切欠き４０とが設けられており、操作ノブ３８をスライド操作することにより、中央フィン２９が回動し、リンク３２に共通に連結される中央フィン２９、中間フィン３０，３０および外側フィン３１，３１が連動して一斉に回動することになる。
【００２４】
次にこの実施例の作用について図５を参照しつつ説明すると、中央フィン２９、中間フィン３０，３０および外側フィン３１，３１を、たとえば図５の右側に一斉に回動したときに、外側フィン３１，３１のハウジング１１への支持点とリンク３２への連結部との間の距離Ｌ２が、他のフィン２９，３０，３０の当該距離Ｌ１に比べて大きいので、外側フィン３１，３１の回動角α２が他のフィン２９，３０，３０の回動角α１よりも小さく抑えられる。
【００２５】
このため図５で最も右側にある外側フィン３１と、その外側フィン３１に隣接する中間フィン３０との間が狭められることになり、外側フィン３１および中間フィン３０間から側壁１８側に向けて流通する空気量が絞られることになり、側壁側壁１８にあたる空気量が小さく抑えられる。また外側フィン３１には側壁１８に向って突出する遮蔽板３７が一体に設けられているので、側壁１８に沿って直進方向に流通する空気量が効果的に抑えられることになり、空気の吹出方向の指向性が低下するのを効果的に防止することができる。
【００２６】
しかも外側フィン３１は、吹出口１２から直進方向に空気を導く姿勢にある状態では中央フィン２９および中間フィン３０，３０と平行に延びてリンク３２に連結されるフィン後部３１ａと、中間フィン３０側に傾斜して前記フィン後部３１ａの前端に角度をなして連なるフィン前部３１ｂとから成るものであり、図５で最も右側にある外側フィン３１と、その外側フィン３１に隣接する中間フィン３０との間がより一層狭められることになり、側壁１８にあたる空気量をより効果的に小さく抑えることが可能となる。
【００２７】
この結果、中央フィン２９、中間フィン３０，３０および外側フィン３１，３１を、吹出口１２の前端縁からの距離を比較的大として奥の方に配置せざるを得ない場合にも、配風性能が低下するのを回避することができ、設計上の自由度を増大することができる。
【００２８】
また外側フィン３１が、配列方向２８に沿う方向およびハウジング１１の前後方向に制限された範囲で移動することを可能としてリンク３２に連結されるので、外側フィン３１，３１と他のフィン２９，３０，３０とで支持点および連結点間の距離が異なることに起因して回動半径が異なっても、配列方向２８に沿う方向にリンク３２を動かしても、リンク３２に無理な荷重が作用することを回避し、配列方向２８に沿う方向へのリンク３２のスムーズな移動が可能となる。
【００２９】
上記第１実施例では、外側フィン３１をハウジング１１に支承する軸部３６が、外側フィン３１の屈曲部すなわちフィン後部３１ａおよびフィン前部３１ｂの連設部に突設されていたが、図６で示す第２実施例のように、ハウジング１１への支持点およびリンク３２への連結点間の距離Ｌ２が、第１実施例よりも大となるようにしてフィン前部３１ｂに突設されていてもよい。
【００３０】
この第２実施例によれば、中央フィン２９、中間フィン３０，３０および外側フィン３１，３１を一斉に回動したときに、外側フィン３１，３１の回動角α２をより一層小さくすることができ、空気の吹出方向の指向性が低下するのをより一層効果的に防止することができる。
【００３１】
以上、本発明の実施例を説明したが、本発明は上記実施例に限定されるものではなく、特許請求の範囲に記載された本発明を逸脱することなく種々の設計変更を行うことが可能である。
【００３２】
【発明の効果】
以上のように請求項１記載の発明によれば、各フィンを回動したときに側壁に沿って直進方向に流通する空気量を抑え、空気の吹出方向の指向性が低下するのを効果的に防止することができる。
【００３３】
また請求項２記載の発明によれば、各フィンの回動側で最も外側にある外側フィンと、当該外側フィンに隣接するフィンとの間がより一層狭められることになり、側壁にあたる空気量をより効果的に小さく抑えることができる。
【００３４】
さらに請求項３記載の発明によれば、リンクに無理な荷重が作用することを回避して各フィンの配列方向に沿う方向にリンクをスムーズに移動させることが可能となる。
【図面の簡単な説明】
【図１】第１実施例の空調用吹出口装置の分解斜視図である。
【図２】空調用吹出口装置の横断面図であって図３の２−２線に沿う断面図である。
【図３】図２の３−３線に沿う縦断面図である。
【図４】図３の４−４線に沿う横断面図である。
【図５】吹出方向を図２の状態から変更した状態での図２に対応した横断面図である。
【図６】第２実施例の図５に対応した横断面図である。
【符号の説明】
１１・・・ハウジング
１２・・・吹出口
１８，１９・・・側壁
２８・・・配列方向
２９，３０・・・フィン
３１・・・外側フィン
３１ａ・・・フィン後部
３１ｂ・・・フィン前部
３２・・・リンク
３７・・・遮蔽板
【図１】
0003605577.tif 000002
【図２】
0003605577.tif 000003
【図３】
0003605577.tif 000004
【図４】
0003605577.tif 000005
【図５】
0003605577.tif 000006
【図６】
0003605577.tif 000007